(57)【要約】【課題】薬液シリンジの着脱の容易さと保持の強固さとを両立できる薬液注入装置を提供する。【解決手段】不動保持部材１２４の上面の左右両側に可動保持部材１２５が回動自在に軸支されており、可動保持部材１２５と不動保持部材１２４の内面に薬液シリンジ２００のシリンダフランジ２０３を保持する凹溝が形成されている。開放された一対の可動保持部材１２５の凹溝に薬液シリンジ２００のシリンダフランジ２０３を上方から挿入し、可動保持部材１２５を閉止させると、可動保持部材１２５と不動保持部材１２４との凹溝でシリンダフランジ２０３が保持される。可動保持部材１２５が回動自在なので薬液シリンジ２００を簡単に着脱でき、不動保持部材１２４が固定されているので薬液シリンジ２００を強固に保持できる。【選択図】  図１
2004187849.tif 000002
【特許請求の範囲】
【請求項１】
円環状のシリンダフランジが後端外周に形成されている円筒状のシリンダ部材にピストン部材がスライド自在に挿入されている薬液シリンジの少なくとも前記シリンダフランジと前記ピストン部材とを別個に保持して相対移動させる薬液注入装置であって、
前記シリンダフランジの下部が係脱自在な円弧形状の凹溝が上面に形成されている不動保持部材と、
この不動保持部材の上面の左右両側に１個ずつ配置されていて前記凹溝に連通する円弧形状の凹溝が形成されている一対の可動保持部材と、
これら一対の可動保持部材を上下方向に回動自在に軸支している部材軸支機構と、
上下方向に回動自在に軸支されている前記可動保持部材を上方に開口して前記シリンダフランジが挿入自在な開放位置と前記シリンダフランジを左右両側から保持する閉止位置とに選択的に保持する部材保持機構と、
を有している薬液注入装置。
【請求項２】
前記閉止位置に配置された前記可動保持部材の下端が前記部材軸支機構の軸心より下方に位置しているとともに上端が上方に位置している請求項１に記載の薬液注入装置。
【請求項３】
前記可動保持部材の上端に手動操作されるレバー部が一体に形成されている請求項１または２に記載の薬液注入装置。
【請求項４】
前記部材保持機構が、
前記可動保持部材の前面と後面との少なくとも一方に形成されている開口孔にコイルスプリングとともに圧入されている球状部材と、
前記開放位置に配置された前記可動保持部材の前記球状部材が係脱自在に係合する第１の凹穴と前記閉止位置に配置された前記可動保持部材の前記球状部材が係脱自在に係合する第２の凹穴とが形成されている保持ガイド部材と、
を有している請求項１ないし３の何れか一項に記載の薬液注入装置。
【請求項５】
前記不動保持部材と前記部材軸支機構と前記保持ガイド部材とが一体に固定されている請求項４に記載の薬液注入装置。
【請求項６】
前記不動保持部材と前記保持ガイド部材とが一体に形成されている請求項４に記載の薬液注入装置。
【請求項７】
前記保持ガイド部材は、前記薬液シリンジのシリンダ部材が上方から装填されるＵ字形状の凹部が上面に形成されている平板状に形成されており、
前記保持ガイド部材の後面と前記可動保持部材の前面とが当接している請求項４ないし６の何れか一項に記載の薬液注入装置。
【請求項８】
前記薬液シリンジのシリンダフランジが係脱自在に係合する凹部が後面内側に形成されている円環状のアダプタフランジが後端外周に形成されていて前記シリンダ部材が後端から着脱自在に装填される円筒状のシリンダアダプタと、
前記シリンダ部材が装填された前記シリンダアダプタのアダプタフランジを前記不動保持部材と一対の前記可動保持部材とで保持することで前記シリンダフランジを間接的に保持する請求項１ないし７の何れか一項に記載の薬液注入装置と、
を有している薬液注入システム。
【発明の詳細な説明】
【０００１】
【発明の属する技術分野】
本発明は、被験者に薬液を注入する薬液シリンジが着脱自在に装着される薬液注入装置に関し、特に、薬液シリンジのシリンダ部材をシリンダフランジで保持する薬液注入装置に関する。
【０００２】
【従来の技術】
現在、被験者の断層画像を撮像する医療装置として、ＣＴ（Ｃｏｍｐｕｔｅｄ  Ｔｏｍｏｇｒａｐｈｙ）スキャナ、ＭＲＩ（Ｍａｇｎｅｔｉｃ  Ｒｅｓｏｎａｎｃｅ  Ｉｍａｇｉｎｇ）装置、ＰＥＴ（Ｐｏｓｉｔｒｏｎ  Ｅｍｉｓｓｉｏｎ  Ｔｏｍｏｇｒａｐｈｙ）装置、等があり、被験者の血管画像を撮像する医療装置として、アンギオ装置、ＭＲＡ（ＭＲ  Ａｎｇｉｏ）装置、等がある。
【０００３】
上述のような装置を使用するとき、被験者に造影剤や生理食塩水などの薬液を注入することがあり、この注入を自動的に実行する薬液注入装置も実用化されている。上述のような薬液注入装置は注入ヘッドを有しており、この注入ヘッドに薬液シリンジが着脱自在に装着される。
【０００４】
薬液シリンジは、薬液が充填される円筒状のシリンダ部材を有しており、このシリンダ部材に円柱状のピストン部材がスライド自在に挿入されている。一般的にシリンダ部材の後端外周には円環状のシリンダフランジが形成されており、ピストン部材の後端外周には円環状のピストンフランジが形成されている。
【０００５】
薬液注入装置を使用する場合、薬液が充填されている薬液シリンジのシリンダ部材を延長チューブで被験者に連結し、その薬液シリンジを薬液注入装置のシリンジ保持部材に装着する。一般的な薬液注入装置では、薬液シリンジのシリンダ部材およびシリンダフランジに対応した形状の凹部がシリンジ保持部材の上面に形成されているので、この凹部にシリンダ部材およびシリンダフランジを装填すれば薬液シリンジが保持される。
【０００６】
さらに、薬液注入装置はピストン駆動機構によりピストンフランジをシリンダ部材とは別個に保持し、そのピストン駆動機構でピストン部材をスライドさせる。これで薬液シリンジから薬液が被験者に注入され、必要により、例えば、薬液シリンジに薬液が薬液タンクから吸引される。
【０００７】
なお、上述のような薬液シリンジのピストン部材は、一般的に後端外周にピストンフランジが形成されているピストンロッドの前端にピストンヘッドを装着した構造からなるが、このピストンヘッドのみでピストン部材を形成した薬液シリンジもある。
【０００８】
このような薬液シリンジに対応した薬液注入装置では、前端にチャック機構が形成されたスライドロッドをピストン駆動機構がスライド自在に支持しており、そのスライドロッドのチャック機構でピストン部材を保持してシリンダ部材の内部をスライド移動させる。
【０００９】
また、上述のような薬液注入装置には、上述のように薬液シリンジが直接に装着される製品の他、薬液シリンジがシリンダアダプタを介して装着される製品もある。このようなシリンダアダプタとしても各種形式があるが、例えば、薬液シリンジの内圧による破損防止を目的としたものは、シリンダ部材の全体を覆う形状に肉厚のポリカーボネートで形成されている。
【００１０】
このようなシリンダアダプタは、後端外周に円環状のアダプタフランジが形成されており、このアダプタフランジの後面内側にシリンダフランジが係合する凹部が形成されている。そこで、薬液注入装置はシリンダ部材が装填されたシリンダアダプタのアダプタフランジを保持することで、間接的にシリンダフランジを保持することになる。
【００１１】
なお、上述のような薬液注入装置には、薬液シリンジのシリンダフランジを保持するため、一対のフランジ保持部材を回動自在に軸支したものがある。このような薬液注入装置では、フランジ保持部材はシリンダフランジが係脱自在な円弧形状の凹溝が内面に形成されており、シリンダフランジを左右両側から保持する位置に配置されている。
【００１２】
このようなフランジ保持部材は、上方に開口してシリンダフランジが挿入自在な開放位置と、シリンダフランジを左右両側から保持する閉止位置と、に回動自在に軸支されている。このため、開放位置に配置されたフランジ保持部材にシリンダフランジを挿入して閉止位置まで回動させると、一対のフランジ保持部材によりシリンダフランジが左右両側から保持されることになる（例えば、特許文献１参照）。
【００１３】
【特許文献１】
特開２００２−１１０９６号
【００１４】
【発明が解決しようとする課題】
上述した薬液注入装置では、薬液シリンジのシリンダフランジを簡単に着脱自在に保持するため、シリンダフランジを回動自在なフランジ保持部材で左右両側から保持する。
【００１５】
しかし、薬液シリンジから被験者に薬液を高圧に注入する場合、シリンダフランジからフランジ保持部材に作用する応力も過大となる。このような場合、上述のように回動自在に軸支したフランジ保持部材では、その強度が不足して破壊が発生する懸念がある。
【００１６】
本発明は上述のような課題に鑑みてなされたものであり、シリンダフランジを着脱することが簡単でありながら、シリンダフランジを保持する強度が充分な薬液注入装置を提供することを目的とする。
【００１７】
【課題を解決するための手段】
本発明の薬液注入装置は、円環状のシリンダフランジが後端外周に形成されている円筒状のシリンダ部材にピストン部材がスライド自在に挿入されている薬液シリンジの少なくともシリンダ部材とピストン部材とを別個に保持して相対移動させる薬液注入装置であって、不動保持部材、一対の可動保持部材、部材軸支機構、部材保持機構、を有している。
【００１８】
不動保持部材は、円弧形状の凹溝が上面に形成されており、その凹溝にシリンダフランジの下部が係脱自在に挿入される。一対の可動保持部材は、不動保持部材の上面の左右両側に１個ずつ配置されており、不動保持部材の凹溝に連通する円弧形状の凹溝が形成されている。部材軸支機構は、一対の可動保持部材を上下方向に回動自在に軸支しており、部材保持機構は、上下方向に回動自在に軸支されている可動保持部材を、上方に開口してシリンダフランジが挿入自在な開放位置と、シリンダフランジを左右両側から保持する閉止位置と、に選択的に保持する。
【００１９】
従って、本発明の薬液注入装置では、開放位置に配置された一対の可動保持部材の凹溝に薬液シリンジのシリンダフランジを上方から挿入し、可動保持部材を閉止位置まで回動させると、可動保持部材と不動保持部材との凹溝でシリンダフランジが保持される。可動保持部材が回動自在に軸支されているので、薬液シリンジの着脱が簡単であり、不動保持部材が固定されているので、薬液シリンジが充分な強度で保持される。
【００２０】
なお、本発明で云う各種の構成要素は、個々に独立した存在である必要はなく、例えば、複数の構成要素が１個の部材として形成されていること、ある構成要素が他の構成要素の一部であること、ある構成要素の一部と他の構成要素の一部とが重複していること、等が可能である。
【００２１】
【発明の実施の形態】
本発明の実施の一形態を図面を参照して以下に説明する。なお、本形態では図面に示すように前後左右上下の方向を規定して説明するが、これは各部の相対関係の説明を簡単とするために便宜的に規定するものであり、本発明の装置の製造時や使用時などの方向を限定するものではない。
【００２２】
［実施の形態の構成］
本実施の形態の薬液注入装置１００は、図３に示すように、装置本体１０１の上面に操作パネル１０２と液晶ディスプレイ１０３とが配置されており、装置本体１０１の側部に可動アーム１０４で注入ヘッド１１０が装着されている。この注入ヘッド１１０は、図２に示すように、ヘッド本体１１１の上面に半円筒形の溝状の凹部１１２が形成されており、この凹部１１２に、薬液シリンジ２００が着脱自在に装着される。
【００２３】
この薬液シリンジ２００は、シリンダ部材２０１とピストン部材２０２からなり、シリンダ部材２０１にピストン部材２０２がスライド自在に挿入されている。シリンダ部材２０１の後端外周にはシリンダフランジ２０３が形成されており、ピストン部材２０２の後端外周にはピストンフランジ２０４が形成されている。
【００２４】
注入ヘッド１１０は、ヘッド本体１１１の凹部１１２の後方にピストン駆動機構１１３が配置されており、このピストン駆動機構１１３がピストンフランジ２０４を保持して前後移動させる。また、注入ヘッド１１０は、ヘッド本体１１１の凹部１１２の所定位置に一対のフランジ保持機構１２０が搭載されており、このフランジ保持機構１２０で薬液シリンジ２００のシリンダフランジ２０３を保持する。
【００２５】
より詳細には、フランジ保持機構１２０は、図５および図６に示すように、平板状の保持ガイド部材１２１を有しており、この保持ガイド部材１２１がヘッド本体１１１に一体に固定されている。保持ガイド部材１２１の上面には、Ｕ字形状の凹部１２２が形成されており、この凹部１２２に薬液シリンジ２００のシリンダ部材２０１が上方から装填される。
【００２６】
保持ガイド部材１２１の後面下方には、不動保持部材１２４が一体に固定されており、後面上方の左右両側には、一対の可動保持部材１２５が１個ずつ回動自在に軸支されている。不動保持部材１２４は、シリンダ部材２０１の外周面に対応した円弧形状に上面が形成されており、その上面にシリンダフランジ２０３の下部が係脱自在に挿入される円弧形状の凹溝１２６が形成されている。
【００２７】
一対の可動保持部材１２５は、シリンダ部材２０１の外周面に対応した円弧形状に内面が形成されており、シリンダフランジ２０３の上部が係合する円弧形状の凹溝１２７が内面に形成されている。なお、不動／可動保持部材１２４，１２５は、凹溝１２６，１２７の全部の内面が面一に連通するように形成されているが、特に、シリンダフランジ２０３の前面が当接する凹溝１２６，１２７の後面は高精度に面一となるように形成されている。
【００２８】
一対の可動保持部材１２５は、その前面が保持ガイド部材１２１の後面に当接した状態で、部材軸支機構である支持軸１２９により上下方向に回動自在に軸支されているが、その回動位置を保持する部材保持機構（図示せず）が形成されている。
【００２９】
より具体的には、図５に示すように、可動保持部材１２５の前面には開口孔１３１が形成されており、この開口孔１３１にコイルスプリング１３２とともに球状部材であるボールベアリング１３３が圧入されている。また、図６（ｂ）に示すように、保持ガイド部材１２１の後面上方の左右両側には、外側から順番に第１／第２の凹穴１３４，１３５が形成されており、これら第１／第２の凹穴１３４，１３５に可動保持部材１２５のボールベアリング１３３がコイルスプリング１３２の付勢により弾発的に係合する。
【００３０】
一対の可動保持部材１２５は、そのボールベアリング１３３が保持ガイド部材１２１の第１の凹穴１３４に係合した状態では、図１（ａ）に示すように、上方に開口してシリンダフランジ２０３が挿入自在な開放位置に保持され、第２の凹穴１３４に係合した状態では、図１（ｃ）に示すように、シリンダフランジ２０３を左右両側から保持する閉止位置に保持される。
【００３１】
また、可動保持部材１２５は、閉止位置に配置されたときに下端が支持軸１２９の軸心より下方に位置するとともに上端が支持軸１２９の軸心より上方に位置する形状に形成されており、上端には手動操作されるレバー部１３６が一体に形成されている。
【００３２】
なお、本実施の形態の薬液注入装置１００は、図４に示すように、例えば、ＭＲＩ装置３００の撮像ユニット３０１の近傍で使用され、必要によりＭＲＩ装置３００の制御ユニット３０２に接続される。この制御ユニット３０２はコンピュータシステムからなり、撮像ユニット３０１を動作制御するとともに断層画像を表示する。
【００３３】
［実施の形態の動作］
上述のような構成において、本実施の形態の薬液注入装置１００を使用する場合、例えば、作業者は被験者に注入する薬液に対応して適切な薬液シリンジ２００を選択し、その薬液シリンジ２００をＭＲＩ装置３００の撮像ユニット３０１に位置する被験者に延長チューブで連結する（図示せず）。
【００３４】
薬液注入装置１００は、注入ヘッド１１０に薬液シリンジ２００が装着されていない状態では、可動保持部材１２５のボールベアリング１３３が保持ガイド部材１２１の第１の凹穴１３５に係合することで、図１（ａ）に示すように、可動保持部材１２５が開放位置に保持されている。
【００３５】
そこで、この開放位置に保持された一対の可動保持部材１２５の凹溝１２６に、作業者が薬液シリンジ２００のシリンダフランジ２０３を挿入して下方に押圧すると、図１（ｂ）に示すように、そのシリンダ部材２０１およびシリンダフランジ２０３に可動保持部材１２５が押圧されて回動することでボールベアリング１３３が第１の凹穴１３５から脱落する。
【００３６】
さらに、作業者が薬液シリンジ２００を下方に押圧すると、そのシリンダ部材２０１およびシリンダフランジ２０３に押圧されて可動保持部材１２５が回動することにより、ボールベアリング１３３が第２の凹穴１３５に係合し、図１（ｃ）に示すように、これで可動保持部材１２５が閉止位置に保持される。
【００３７】
すると、薬液シリンジ２００は、シリンダフランジ２０３の上部が一対の可動保持部材１２５に両側から保持され、下部が不動保持部材１２４に保持されることになる。なお、上述のように薬液シリンジ２００を下方に押圧するだけでは可動保持部材１２５が回動しにくい場合は、所望によりレバー部１３６の手動操作で可動保持部材１２５を閉止させることも可能である。
【００３８】
このとき、薬液シリンジ２００のピストンフランジ２０４をピストン駆動機構１１３が保持するので、作業者が薬液注入装置１００の操作パネル１０２に所定操作を実行すると、ピストン駆動機構１１３がピストン部材２０２をスライド移動させることでシリンダ部材２０１から被験者に薬液が注入される。
【００３９】
この注入作業が終了すると、例えば、作業者は被験者から延長チューブを取り外し、注入ヘッド１１０から薬液シリンジ２００を上方に引き出す。すると、そのシリンダ部材２０１およびシリンダフランジ２０３に可動保持部材１２５が押圧されて回動することで、ボールベアリング１３３が第２の凹穴１３５から脱落する。
【００４０】
さらに作業者が薬液シリンジ２００を上方に引き上げると、図１（ｂ）に示すように、そのシリンダ部材２０１およびシリンダフランジ２０３に押圧されて可動保持部材１２５が回動することにより、ボールベアリング１３３が第１の凹穴１３５に係合する。
【００４１】
図１（ａ）に示すように、これで可動保持部材１２５が開放位置に保持されるので、薬液シリンジ２００が上方に取り出される。なお、上述のように薬液シリンジ２００を上方に引き上げるだけでは可動保持部材１２５が回動しにくい場合は、所望によりレバー部１３６の手動操作で可動保持部材１２５を開放させることも可能である。
【００４２】
このように薬液注入装置１００に薬液シリンジ２００が装着されていない状態では、上述のように可動保持部材１２５は開放位置に保持されているので、特別な準備操作などを必要とすることなく薬液シリンジ２００の装着を開始することができる。
【００４３】
［実施の形態の効果］
本実施の形態の薬液注入装置１００では、上述のように可動保持部材１２５は上下方向に回動自在に軸支されており、閉止位置に配置された下端が支持軸１２９の軸心より下方に位置するとともに上端が上方に位置する形状に形成されている。
【００４４】
このため、手動操作により注入ヘッド１１０の凹部１１２に薬液シリンジ２００を上方から挿入すると一対の可動保持部材１２５によりシリンダフランジ２０３が自動的に保持され、この状態から手動操作により薬液シリンジ２００を上方に引き出すと一対の可動保持部材１２５が自動的に開放される。
【００４５】
従って、本形態の薬液注入装置１００では、注入ヘッド１１０に薬液シリンジ２００を片手でも簡単かつ確実に着脱することができるので、医療現場で汚損原因となる薬液注入装置１００を片手のみで操作することができ、他方の片手を常時清浄に維持することが可能である。
【００４６】
しかも、上述のように薬液シリンジ２００の着脱を容易とするために可動保持部材１２５を開閉自在とすると、その機械強度は必然的に低下するが、本形態の薬液注入装置１００では、注入ヘッド１１０に固定された不動保持部材１２４でシリンダフランジ２０３の下部を保持する。
【００４７】
このため、薬液シリンジ２００を強固に保持することができ、ピストン部材２０２を高圧に押圧するような場合でも、フランジ保持機構１２０の機械強度が不足することがない。つまり、本形態の薬液注入装置１００は、可動保持部材１２５と不動保持部材１２４とを組み合わせて使用することにより、薬液シリンジ２００の着脱の容易さと保持の強固さとを両立している。
【００４８】
特に、本形態の薬液注入装置１００では、可動保持部材１２５を軸支する支持軸１２９と、可動保持部材１２５のボールベアリング１３３が係合する凹穴１３４，１３５が形成されている保持ガイド部材１２１と、不動保持部材１２４と、が一体に固定されているので、強固な構造が簡単に実現されている。
【００４９】
しかも、本形態の薬液注入装置１００では、保持ガイド部材１２１は平板状に形成されてシリンダ部材２０１が位置するＵ字形状の凹部１２２が上面に形成されており、この保持ガイド部材１２１の後面に可動保持部材１２５の前面が当接している。
【００５０】
このため、ピストン部材２０２を高圧に押圧する応力がシリンダフランジ２０３から可動保持部材１２５に作用しても、この可動保持部材１２５を保持ガイド部材１２１で保持することができ、回動自在な可動保持部材１２５でもシリンダフランジ２０３を強固に保持することができる。
【００５１】
しかも、不動／可動保持部材１２４，１２５は、シリンダフランジ２０３の前面が当接する凹溝１２６，１２７の後面が高精度に面一となるように形成されているので、前方に押圧される薬液シリンジ２００を良好な精度で強固に保持することができる。
【００５２】
さらに、本形態の薬液注入装置１００では、可動保持部材１２５の上端に手動操作されるレバー部１３６が一体に形成されているので、薬液シリンジ２００を上下させるだけでは可動保持部材１２５が回動しにくい場合は、所望によりレバー部１３６の手動操作で可動保持部材１２５を開閉させることもでき、可動保持部材１２５を確実に開閉させることが可能である。
【００５３】
また、本形態の薬液注入装置１００では、可動保持部材１２５の開口孔１３１にコイルスプリング１３２とともに圧入されているボールベアリング１３３が保持ガイド部材１２１の第１／第２の凹穴１３４，１３５に係合することにより、可動保持部材１２５を開放位置と閉止位置とに保持する部材保持機構が簡単な構造で実現されている。
【００５４】
［実施の形態の変形例］
本発明は本実施の形態に限定されるものではなく、その要旨を逸脱しない範囲で各種の変形を許容する。例えば、上記形態では不動保持部材１２４と支持軸１２９と保持ガイド部材１２１とが別体に形成されていて一体に装着されていることを例示したが、これらの一部ないし全部を一体に形成することも可能である。
【００５５】
例えば、図７に示すように、不動保持部材１２４と保持ガイド部材１２１とを一体に形成することにより、不動保持部材１２４の機械強度を向上させるとともに、薬液シリンジ２００が前方に押圧されるときの可動保持部材１２５と不動保持部材１２４との位置精度を向上させることができるので、より強固に薬液シリンジ２００を保持することができる。
【００５６】
また、上記形態では可動保持部材１２５の開口孔１３１にコイルスプリング１３２とともにボールベアリング１３３が圧入されており、保持ガイド部材１２１に第１／第２の凹穴１３４，１３５が形成されていることを例示した。しかし、開口孔１３１を保持ガイド部材１２１に形成してコイルスプリング１３２とともにボールベアリング１３３を圧入し、可動保持部材１２５に第１／第２の凹穴１３４，１３５を形成することも可能である。
【００５７】
あるいは、保持ガイド部材１２１の第１／第２の凹穴１３４，１３５に係合する凸部を可動保持部材１２５に形成したり、可動保持部材１２５に第１／第２の凹穴１３４，１３５を形成するとともに保持ガイド部材１２１に凸部を形成しておき、可動保持部材１２５を保持ガイド部材１２１にコイルスプリングなどで圧接させておくことも可能である。
【００５８】
また、上記形態では薬液注入装置１００をＭＲＩ装置３００の近傍で使用することを想定したが、これをＣＴスキャナ、ＰＥＴ装置、アンギオ装置、ＭＲＡ装置、等の近傍で使用することも可能である。さらに、上記形態では薬液注入装置１００の一つの凹部１１２に１個の薬液シリンジ２００が装着されることを例示したが、注入ヘッドの複数の凹部に複数の薬液シリンジ２００が装着されることも可能である（図示せず）。
【００５９】
さらに、上記形態では薬液注入装置１００に薬液シリンジ２００が直接に装着されることを例示したが、現在市販されている薬液シリンジ２００には各種サイズが存在するので、例えば、最大サイズの薬液シリンジ２００のみ薬液注入装置１００に直接に装着され、最大以外の各種サイズの薬液シリンジ２００は各々に専用のシリンダアダプタ（図示せず）を介して薬液注入装置１００に装着されるようなことも可能である。
【００６０】
特に、薬液を高圧に注入する薬液注入装置１００では、薬液シリンジ２００のシリンダ部材２０１の破壊も防止するため、シリンダ部材２０１の全体を装填するシリンダアダプタが利用されている。このようなシリンダアダプタは、シリンダ部材２０１が後端から着脱自在に装填される円筒状に形成されており、その後端外周には円環状のアダプタフランジが形成されている。
【００６１】
そのアダプタフランジの後面内側には薬液シリンジ２００のシリンダフランジ２０３が係脱自在に係合する凹部が形成されているので、このようなシリンダアダプタを装着した薬液シリンジ２００を薬液注入装置１００に装着すると、その不動保持部材１２４と一対の可動保持部材１２５とはアダプタフランジを直接的に保持することでシリンダフランジ２０３を間接的に保持することになる。
【００６２】
また、上記形態では薬液シリンジ２００のシリンダ部材２０１にロッド形状のピストン部材２０２が挿入されていることを例示したが、このような薬液シリンジにはピストン部材がヘッド部のみの製品もある（図示せず）。特に、上述のように薬液を高圧に注入する薬液シリンジでは、ロッド部の破壊を防止するために上述のようにピストン部材がヘッド部のみとされている。
【００６３】
このような薬液シリンジを利用する薬液注入装置では（図示せず）、ピストン駆動機構は金属製の強固なスライドアームなどで薬液シリンジのピストンヘッドを把持してスライド移動させるが、このような薬液注入装置にも上記形態のフランジ保持機構１２０は利用可能である。
【００６４】
【発明の効果】
本発明の薬液注入装置では、開放位置に配置された一対の可動保持部材の凹溝に薬液シリンジのシリンダフランジを上方から挿入し、可動保持部材を閉止位置まで回動させると、可動保持部材と不動保持部材との凹溝でシリンダフランジが保持されることにより、可動保持部材が回動自在に軸支されているので、薬液シリンジを簡単に着脱することができ、それでいて不動保持部材が固定されているので、薬液シリンジを充分な強度で保持することもできる。
【図面の簡単な説明】
【図１】本発明の実施の形態の薬液注入装置の可動保持部材と不動保持部材とに薬液シリンジが着脱される状態を示す正面図である。
【図２】薬液注入装置の注入ヘッドに薬液シリンジが着脱される状態を示す斜視図である。
【図３】薬液注入装置の外観を示す斜視図である。
【図４】ＭＲＩ装置の外観を示す斜視図である。
【図５】フランジ保持機構の組立構造を示す分解斜視図である。
【図６】フランジ保持機構の構造を示す斜視図である。
【図７】一変形例のフランジ保持機構の組立構造を示す分解斜視図である。
【符号の説明】
１００    薬液注入装置
１１３    ピストン駆動機構
１２１    保持ガイド部材
１２２    凹部
１２４    不動保持部材
１２５    可動保持部材
１２６，１２７    凹溝
１２９    部材軸支機構である支持軸
１３１    開口孔
１３２    コイルスプリング
１３３    ボールベアリング
１３４    第１の凹穴
１３５    第２の凹穴
１３６    レバー部
２００    薬液シリンジ
２０１    シリンダ部材
２０２    ピストン部材
２０３    シリンダフランジ
２０４    ピストンフランジ
【図１】
2004187849.tif 000003
【図２】
2004187849.tif 000004
【図３】
2004187849.tif 000005
【図４】
2004187849.tif 000006
【図５】
2004187849.tif 000007
【図６】
2004187849.tif 000008
【図７】
2004187849.tif 000009